(57)【要約】【課題】被検眼の良好な正面画像を得ることのできる走査型レーザー検眼鏡を提供すること。【解決手段】  走査型レーザー検眼鏡１は、レーザー光出射部１１，走査部１６，および対物レンズ系１７を備える照射光学系１０と、ピンホール板２３を備える受光光学系２０と、照射光学系１０と受光光学系２０の光路Ｌ１，Ｌ２を分岐させるための穴開きミラー１３と、を有する。また、走査型レーザー検眼鏡１は、受光光学系２０の受光素子２５からの受光信号に基づいて眼底の画像を取得する。更に、走査型レーザー検眼鏡１は、穴開きミラー１３と受光素子２５との間の光路における被検眼の眼底と共役な位置から外れた位置に設けられ、眼底共役な面からの光を通過させ、対物レンズ系１７のレンズ面１７ａからの反射光の少なくとも一部を遮光する遮光部材２２を備えている。受光素子２５は、ピンホール板２３及び遮光部材２２を通過した眼底からの光を受光する。【選択図】図１
2016028687.tif 000002
【特許請求の範囲】
【請求項１】
照射光源と、前記照射光源から発せられたレーザー光を被検眼の眼底上で走査するための走査手段と、前記走査手段によって走査された前記レーザー光を被検眼眼底に導くための対物レンズ系と、を備え、前記眼底にレーザー光を照射するための照射光学系と、
被検眼の眼底と共役な位置に配置された第１の遮光部材を備え、前記対物レンズ系を前記照射光学系と共用すると共に、前記照射光学系によって照射されたレーザー光による前記眼底からの光を、前記第１の遮光部材を介して受光素子に受光させる受光光学系と、
前記照射光学系と前記受光光学系の光路を分岐させるための光路分岐部材と、
を備え、前記受光素子からの受光信号に基づいて前記眼底の画像を得る走査型レーザー検眼鏡であって、
前記光路分岐部材と前記受光素子との間の光路における被検眼の眼底と共役な位置から外れた位置に設けられ、眼底共役な面からの光を通過させ、前記対物レンズ系のレンズ面からの反射光の少なくとも一部を遮光する第２の遮光部材を備え、
前記第１の遮光部材及び前記第２の遮光部材を通過した前記眼底からの光を前記受光素子に受光させることを特徴とする走査型レーザー検眼鏡。
【請求項２】
前記第２の遮光部材は、前記対物レンズ系のレンズ面からの反射光の少なくとも一部を遮光するために光軸上に配置された中心遮光部と、眼底共役面からの光を通過させるためにリング状の開口と、を備えることを特徴とする請求項１記載の走査型レーザー検眼鏡。
【請求項３】
前記中心遮光部は、前記レーザー光の波長域の光を遮光すると共に、前記レーザー光によって前記被検眼の眼底で励起される蛍光を透過する分光特性を持つフィルタである請求項１記載の走査型レーザー検眼鏡。
【請求項４】
前記レーザー光は、赤外域の光を少なくとも含み、
前記中心遮光部は、前記赤外域の光を遮光すると共に、前記レーザー光に含まれる前記赤外域の光、または前記赤外域の光とは異なる波長域の光を励起光として前記被検眼の眼底で励起される蛍光を透過する分光特性を持つフィルタである請求項１記載の走査型レーザー検眼鏡。
【請求項５】
前記第２の遮光部材は、前記対物レンズ系のレンズ面と共役な位置に配置されることを特徴とする請求項１から４のいずれかに記載の走査型レーザー検眼鏡。
【請求項６】
前記光路分岐部材は、中央部にて、光源からのレーザー光を前記走査部へ導くと共に、瞳孔の中心部を通った前記眼底からの光を前記受光光学系から取り除き、周辺部にて、瞳孔の周辺部を通った前記眼底からの光を受光素子に導き、
前記第２の遮光部材は、前記開口を基準とする前記中央部のみかけの大きさに応じた遮光領域を有することを特徴とする請求項１から５のいずれかに記載の走査型レーザー検眼鏡。
【請求項７】
前記第２の遮光部材は、前記開口を基準とする前記遮光領域の見かけの大きさが、前記開口を基準とする前記中央部のみかけの大きさの２倍以内であることを特徴とする請求項６記載の走査型レーザー検眼鏡。
【請求項８】
前記第１の遮光部材は、眼底共役面に配置される第１の遮光部材であって、
眼底共役面から受光素子に向かう光のうち，光軸近傍の光を通過させる第１開口が光軸上に配置され、共役面から受光素子に向かう他の光を遮光する第１遮光部材と、
眼底共役面から受光素子に向かう光のうち，光軸から離れた領域における所定の方向からの光を通過させる開口が光軸から外れた位置に配置され、眼底共役面から受光素子に向かう他の光を遮光する第２遮光部材と、
光軸から離れた領域における全方向からの光を通過させる開口を有する第３遮光部材と、
の少なくともいずれかの備えることを特徴とする請求項１記載の走査型レーザー検眼鏡。
【請求項９】
前記受光光学系の光路から前記第２の遮光部を退避させる挿脱機構を有する請求項１から８のいずれかに記載の走査型レーザー検眼鏡。
【請求項１０】
照射光源と、前記照射光源から発せられたレーザー光を被検眼の観察面上で走査するための走査手段と、前記走査手段によって走査された前記レーザー光を前記観察面に導くための対物レンズ系と、を備え、前記観察面にレーザー光を照射するための照射光学系と、
被検眼の観察面と共役な位置に配置された第１の遮光部を備え、前記対物レンズ系を前記照射光学系と共用すると共に、前記照射光学系によって照射されたレーザー光による前記観察面からの光を、前記第１の遮光部を介して受光素子に受光させる受光光学系と、  前記照射光学系と前記受光光学系の光路を分岐させるための光路分岐部材と、
を備え、前記受光素子からの受光信号に基づいて前記観察面の画像を得る走査型レーザー検眼鏡であって、
前記光路分岐部材と前記受光素子との間の光路における被検眼の観察面と共役な位置から外れた位置に設けられ、前記観察面に共役な面からの光を通過させ、前記対物レンズ系のレンズ面からの反射光の少なくとも一部を遮光する第２の遮光部を備え、
前記第１の遮光部及び前記第２の遮光部を通過した前記観察面からの光を前記受光素子に受光させることを特徴とする走査型レーザー検眼鏡。
【発明の詳細な説明】
【技術分野】
【０００１】
本開示は、被検眼の正面画像を撮影する走査型レーザー検眼鏡に関する。
【背景技術】
【０００２】
従来より、被検眼の正面画像を撮影する装置として、走査型レーザー検眼鏡が知られている。特許文献１には、光源から出射されるレーザー光を眼底上で走査し、その眼底反射光を受光することによって眼底の画像を得る装置が記載されている。この種の装置には、受光素子の前方の眼底と共役な位置に開口（共焦点絞り）が設けられており、受光素子へのノイズ光の入射が開口によって抑制される。
【先行技術文献】
【特許文献】
【０００３】
【特許文献１】特開２０１２−１３０７６３号公報
【発明の概要】
【発明が解決しようとする課題】
【０００４】
ところで、走査型レーザー検眼鏡では、被検眼の観察面におけるレーザー光の集光位置の前後で散乱されたレーザー光の散乱光を検出することによって、集光位置前後の組織を描画できる。より詳細には、共焦点開口の大きさを比較的大きめにしたり、リングアパーチャーを用いたりする手法の他、偏心された開口を用いるいわゆるレトロ撮影（例えば、特開２００９−９５６３２号公報参照）等がありうる。
【０００５】
しかしながら、本発明者の検討によれば、上記試みは、光学系内部からのノイズ光が受光素子に受光される可能性を高める結果となることが分かった。
【０００６】
本開示は、上記従来技術の問題点に鑑みてなされたものであり、被検眼の良好な正面画像を得ることのできる走査型レーザー検眼鏡を提供することを技術課題とする。
【課題を解決するための手段】
【０００７】
上記課題を解決するために、本開示の第一態様に係る走査型レーザー検眼鏡は、照射光源と、前記照射光源から発せられたレーザー光を被検眼の眼底上で走査するための走査手段と、前記走査手段によって走査された前記レーザー光を被検眼眼底に導くための対物レンズ系と、を備え、前記眼底にレーザー光を照射するための照射光学系と、被検眼の眼底と共役な位置に配置された第１の遮光部を備え、前記対物レンズ系を前記照射光学系と共用すると共に、前記照射光学系によって照射されたレーザー光による前記眼底からの光を、前記第１の遮光部を介して受光素子に受光させる受光光学系と、前記照射光学系と前記受光光学系の光路を分岐させるための光路分岐部材と、を備え、前記受光素子からの受光信号に基づいて前記眼底の画像を得る走査型レーザー検眼鏡であって、前記光路分岐部材と前記受光素子との間の光路における被検眼の眼底と共役な位置から外れた位置に設けられ、眼底共役な面からの光を通過させ、前記対物レンズ系のレンズ面からの反射光の少なくとも一部を遮光する第２の遮光部を備え、前記第１の遮光部及び前記第２の遮光部を通過した前記眼底からの光を前記受光素子に受光させる。
【０００８】
また、本開示の第二態様に係る走査型レーザー検眼鏡は、照射光源と、前記照射光源から発せられたレーザー光を被検眼の観察面上で走査するための走査手段と、前記走査手段によって走査された前記レーザー光を前記観察面に導くための対物レンズ系と、を備え、前記観察面にレーザー光を照射するための照射光学系と、被検眼の観察面と共役な位置に配置された第１の遮光部を備え、前記対物レンズ系を前記照射光学系と共用すると共に、前記照射光学系によって照射されたレーザー光による前記観察面からの光を、前記第１の遮光部を介して受光素子に受光させる受光光学系と、前記照射光学系と前記受光光学系の光路を分岐させるための光路分岐部材と、を備え、前記受光素子からの受光信号に基づいて前記観察面の画像を得る走査型レーザー検眼鏡であって、前記光路分岐部材と前記受光素子との間の光路における被検眼の観察面と共役な位置から外れた位置に設けられ、前記観察面に共役な面からの光を通過させ、前記対物レンズ系のレンズ面からの反射光の少なくとも一部を遮光する第２の遮光部を備え、前記第１の遮光部及び前記第２の遮光部を通過した前記観察面からの光を前記受光素子に受光させる。
【発明の効果】
【０００９】
本開示によれば、被検眼の良好な正面画像を得ることができる。
【図面の簡単な説明】
【００１０】
【図１】第１実施形態の走査型レーザー検眼鏡１が有する光学系の概略構成図である。
【図２】図１に示した光学系において、穴開きミラー１３から受光素子２５までの光路を拡大して示した図である。
【図３】図１に示した光学系において、対物レンズ系１７のレンズ面１７ａにおける反射光の光路を示した図である。
【図４】第１実施形態の遮光部材２２を光軸方向から見た図である。
【図５】第２実施形態の走査型レーザー検眼鏡１００が有する光学系の概略構成図である。
【図６】３つの受光素子によって受光される光の波長領域と、各波長領域の光の一例としての用途とを示した表である。
【図７】第２実施形態の遮光部材２１０，２２０を光軸方向から見た図である。
【図８】第３実施形態の走査型レーザー検眼鏡２００が有する光学系の概略構成図である。
【図９】遮光部２１１ａ，２２１ａの分光特性を示すグラフである。
【図１０】第１実施形態の第１の変容例における光学系を示した図である。
【図１１】第１実施形態の第２の変容例における光学系を示した図である。
【発明を実施するための形態】
【００１１】
以下、図面を参照しつつ、本開示の典型的な実施形態に係る走査型レーザー検眼鏡（Ｓｃａｎｎｉｎｇ  Ｌａｓｅｒ  Ｏｐｈｔａｌｍｏｓｃｏｐｅ：ＳＬＯ）を説明する。本開示における走査型レーザー検眼鏡は、レーザー光を眼底上で走査し、眼底からのレーザー光の戻り光を受光することによって眼底の正面画像を取得する装置である。走査型レーザー検眼鏡１の撮影手法として、眼底反射光を用いる撮影手法の他に、例えば、蛍光撮影の撮影手法が知られている。走査型レーザー検眼鏡は、光干渉断層計（ＯＣＴ：Ｏｐｔｉｃａｌ  Ｃｏｈｅｒｅｎｃｅ  Ｔｏｍｏｇｒａｐｈｙ）、視野計などの他の眼科装置と一体化された装置であってもよい。
【００１２】
＜第1実施形態＞
まず、図１から図４を参照して、第１実施形態を説明する。図１は、本第１実施形態に係る走査型レーザー検眼鏡１の光学系を示している。第１実施形態では、主に、眼底Ｅｒにて反射された光を用いて眼底Ｅｒの画像を撮影する場合を説明する。つまり、眼底画像を、眼底反射光に基づいて撮影できる。但し、第１実施形態に係る走査型レーザー検眼鏡１は蛍光撮影に利用されてもよい。
【００１３】
一例として、走査型レーザー検眼鏡１は、照射光学系１０と、受光光学系２０と、を有している。照射光学系１０は、被検眼Ｅの眼底Ｅｒにレーザー光（照明光）を照射する。本第１実施形態において、照射光学系１０には、レーザー光出射部１１、集光レンズ１２、穴開きミラー１３、レンズ１４、レンズ１５、走査部１６、および、対物レンズ系１７が含まれる。
【００１４】
レーザー光出射部１１は、照射光学系１０の光源である。レーザー光出射部１１には、レーザー光を出射する光源（例えば、レーザーダイオード（LD）、スーパールミネッセントダイオード（SLD）等）が用いられてもよい。第1実施形態では、レーザー光出射部１１は、単色光（より詳細には、赤外光）を出射する光源を有するものとして説明する。但し、必ずしもこれに限られるものではない。例えば、レーザー光出射部１１は、複数の光源を有していてもよく、この場合、複数色の光を同時に、又は選択的に出射する構成であってもよい。また、レーザー光出射部１１から出射される光の波長も、赤外域に限らず、例えば、可視域等の波長であってもよい。
【００１５】
レーザー光出射部１１から出射されるレーザー光は、図１において実線で示した経路にて眼底Ｅｒに導かれる。つまり、レーザー光出射部１１からのレーザー光は、集光レンズ１２を経て穴開きミラー１３に形成された開口部１３ａを通り、レンズ１４およびレンズ１５を介した後、走査部１６に向かう。走査部１６によって反射されたレーザー光は、対物レンズ系１７を通過した後、被検眼Ｅの眼底Ｅｒに照射される。その結果として、眼底Ｅｒで反射・散乱される光が瞳孔から出射される。
【００１６】
なお、本第１実施形態において、レンズ１４は、駆動機構１４ａによって、光軸Ｌ１方向へ移動可能に構成されている。レンズ１４の位置に応じて、照射光学系１０および受光光学系２０の視度が変わる。本第１実施形態では、レンズ１４の位置を調節することによって、被検眼Ｅの視度の誤差を矯正（軽減）する。その結果として、レーザー光の集光位置を眼底Ｅｒの観察部位（例えば、網膜表面）に調節することができる。
【００１７】
走査部１６は、レーザー光を眼底上で走査するためにレーザー光出射部１１から導かれたレーザー光の進行方向を変える（レーザー光を偏向する）ユニットである。本第１実施形態において、走査部１６は、レゾナントスキャナ１６ａと、ガルバノミラー１６ｂと、を有している。本第１実施形態では、レゾナントスキャナ１６ａによって、Ｘ方向にレーザー光の主走査が行われる。また、ガルバノミラー１６ｂによって、Ｙ方向にレーザー光の副走査が行われる。走査部１６としては、例えば、反射ミラー（ガルバノミラー、ポリゴンミラー、レゾナントスキャナ）の他、光の進行（偏向）方向を変化させる音響光学素子（ＡＯＭ）等が用いられてもよい。
【００１８】
対物レンズ系１７は、走査部１６を経たレーザー光が旋回される旋回点Ｐを形成する。本第１実施形態において、旋回点Ｐは、対物レンズ系１７の光軸Ｌ３上であって、対物レンズ系１７に関して走査部１６（例えば、レゾナントスキャナ１６ａとガルバノミラー１６ｂとの中間点）と光学的に共役な位置に形成される。走査部１６を経たレーザー光は、対物レンズ系１７を通過することによって、旋回点Ｐを経て、眼底Ｅｒに照射される。このため、対物レンズ系１７を通過したレーザー光は、走査部１６の動作に伴って旋回点Ｐを中心に旋回される。その結果として、図１の例では、眼底Ｅｒ上でレーザー光が２次元的に走査される。また、レーザー光の旋回点Ｐと被検眼Ｅの瞳位置とが予め一致されていることによって、虹彩でのケラレが抑制され、レーザー光が眼底Ｅｒに良好に導光される。眼底Ｅｒに照射されたレーザー光は、集光位置（例えば、網膜表面）にて反射される。また、レーザー光は、集光位置の前後の組織にて散乱される。眼底Ｅｒによる反射光、および散乱光は、平行光としてそれぞれ瞳孔から出射する。
【００１９】
なお、図１において、対物レンズ系１７は、便宜上、一枚の対物レンズとして図示しているが、必ずしも限られるものではない。対物レンズ系１７は、複数枚のレンズによって構成されてもよい。また、対物レンズ系１７に、複数のレンズを張り合わせた接合レンズ、および非球面レンズ等が使用されてもよい。
【００２０】
次に、受光光学系２０について説明する。受光光学系２０は、照射光学系１０によって照射されたレーザー光による眼底Ｅｒからの光を、第１の遮光部（本第１実施形態では、ピンホール板２３）を介して受光素子２５に受光させる。照射光学系１０からのレーザー光に伴う眼底Ｅｒからの光を受光素子２５で受光する。本第１実施形態の受光光学系２０は、レンズ２１、遮光部材２２（第２の遮光部の一例）、ピンホール板２３、レンズ２４、および、受光素子２５、を有する。ピンホール板２３は、眼底Ｅｒと共役な位置に配置されており、後述するように共焦点絞りとして機能する。また、受光光学系２０は、対物レンズ系１７から穴開きミラー１３までに配置された各部材を、照射光学系１０と共用している。その結果として、本第１実施形態では、被検眼Ｅから穴開きミラー１３までの光路が、照射光学系１０および受光光学系２０の共通部分として形成されている。
【００２１】
被検眼Ｅの眼底Ｅｒにレーザー光が照射される場合、眼底Ｅｒにて反射された光は、図１にて破線で示す光線の経路で、受光素子２５に導かれる。まず、眼底からの光は、瞳孔から取り出された光は、前述した照射光学系１０を逆に辿り、穴開きミラー１３を照射する。
【００２２】
本第１実施形態において、穴開きミラー１３は、照射光学系１０および受光光学系２０の共通光路を経由した眼底Ｅｒからの光を分岐させる光路分岐部材である。穴開きミラー１３によって、眼底Ｅｒからの光は、受光側光路（ここでは、光軸Ｌ２方向に沿う光路）と光源側光路（ここでは、光軸Ｌ１に沿う光路）とに分岐する。図２に示すように、本第１実施形態において、穴開きミラー１３には、開口部１３ａと、ミラー部１３ｂとを有する。開口部１３ａは、穴開きミラー１３の中央部に形成される。ミラー部１３ｂは、開口部１３ａの周りに形成される。本第１実施形態において、光源側光路は、穴開きミラー１３の開口部１３ａを透過する光の光路であり、照射光学系１０によって形成される。一方、受光側光路は、穴開きミラー１３のミラー部１３ｂによる反射光の光路であり、受光光学系２０によって形成される。穴開きミラー１３は、その開口部１３ａが被検眼Ｅの瞳位置と共役な関係となる位置に配置される。眼底Ｅｒからの光のうち、瞳孔の周辺部（つまり、瞳孔の外周に近い瞳孔内領域）を通った光が、穴開きミラー１３のミラー部１３ｂによって反射され、受光素子２５の配置された受光側光路に導かれる。一方、瞳孔の中心部を通った眼底Ｅｒからの光（つまり、被検眼Ｅに投光されるレーザー光の主光線近傍を通る眼底反射光等）は、穴開きミラー１３の開口部１３ａを通過する。
【００２３】
図２に示すように、穴開きミラー１３によって反射された光は、レンズ２１によって集光される。レンズ１４による視度補正が適正に行われた場合において、レンズ２１を介した光は、遮光部材２２を通過してピンホール板２３のピンホール２３ａ（つまり、開口）に焦点を結ぶ。つまり、この場合、ピンホール２３ａが眼底共役位置に配置される。ピンホール２３ａを経た光は、レンズ２４を介して受光素子２５によって受光される。なお、本第１実施形態では、受光素子２５として、赤外域に感度を持つＡＰＤ（アバランシェフォトダイオード）が用いられている。１フレーム分のレーザー光の走査が走査部１６によって行われる度に、受光素子２５から出力される１フレーム分の受光信号が画像処理部（図示を省略する）によって処理され、その結果、１フレームの眼底画像が生成される。
【００２４】
遮光部材２２は、穴開きミラー１３と受光素子２５との間の光路における眼底共役位置から外れた位置に設けられている。遮光部材２２は、眼底共役な面からの光を通過させると共に、対物レンズ系１７のレンズ面からの反射光の少なくとも一部を遮光する。本第１実施形態において、遮光部材２２は、受光光学系２０の光軸Ｌ２の近傍を遮光する。本第１実施形態において、遮光部材２２は、遮光領域を形成する黒点２２ａ（第１実施形態の遮光部）と、リング状の開口が形成された透光板２２ｂとを有する黒点板である（図４参照）。黒点２２ａは、例えば、光軸Ｌ２上に配置され、光軸Ｌ２の近傍の光を遮光するために設けられる。透光板２２ｂは、光軸Ｌ２から離れた領域に形成され、眼底共役面からの光を透過するために設けられる。なお、ここでいう光軸Ｌ２の近傍とは、穴開きミラー１３にて反射される眼底からの光の通過領域の外側の縁に対し、光軸Ｌ２に近い領域であってもよい。なお、後述するように、通過領域の内側の縁に対し、光軸Ｌ２に近い領域に黒点２２ａが形成されることがより好ましい。好適な黒点２２ａの設置範囲については、後述する。
【００２５】
なお、遮光部材２２の設置位置（つまり、眼底共役位置から外れた位置）は、少なくとも眼底の略共役位置から外れているという条件にて規定されうる。すなわち、遮光部材２２は、受光素子２５に向かう光のうち、光軸Ｌ２近傍の光（主にレンズ面からの光を含む）を遮光すると共に、光軸Ｌ２から離れた領域における光（主に眼底共役面からの光）を通過させる。この場合、遮光部材２２は、略共役面からの光（眼底の集光面に対する前後面）を通過させるように構成される。
【００２６】
また、遮光部材２２の設置位置は、瞳共役位置と眼底共役位置との間であって、瞳共役位置および眼底共役位置のいずれからも外れた位置であってもよい。より詳細には、図３に示すように、遮光部材２２の設置位置は、穴開きミラー１３とピンホール板２３との間であってもよい。より好ましくは、以下説明するように、対物レンズ系１７のレンズ面（ここでは、光源側レンズ面１７ａ）と共役な位置に配置されていてもよい。
【００２７】
ピンホール２３ａには、眼底Ｅｒの集光位置（例えば、網膜表面）における反射光が入射する。本第１実施形態において、ピンホール２３ａには、集光位置からの反射光だけでなく、集光位置の近傍（より詳細には、集光位置の前後）の組織（例えば、網膜の内部、深層部および脈絡膜等の組織）にて散乱された散乱光の一部も入射するものとする。その結果として、受光素子２５には、眼底Ｅｒの集光位置における反射光および集光位置の前後にて散乱された散乱光の一部が受光される。ピンホール２３ａの径が大きいほど、ピンホール２３ａを通過する散乱光の割合が増加され、集光位置の前後の領域に存在する眼底Ｅｒの組織が集光位置の組織と共に撮影され易くなる。眼科分野において、眼底Ｅｒの表面と共に眼底Ｅｒの内部（例えば、網膜の内部、深層部および脈絡膜等の組織）が描写される正面画像には、種々の用途がある。例えば、この種の正面画像は、眼底内部の疾患の位置を検者が特定したり、断層画像の撮影位置を検者が決定したりするために利用される。
【００２８】
穴開きミラー１３の開口部１３ａは、瞳孔の中心部を通った眼底Ｅｒからの光と共に、ノイズ光の大部分を除去（軽減）するために用いられてもよい。例えば、穴あきミラー１３は、被検眼Ｅの角膜および透光体からの反射光、レンズ１４，１５のレンズ面からの反射光を除去するために用いられてもよい。また、穴開きミラー１３は、対物レンズ系１７のレンズ面（例えば、光源側のレンズ面１７ａ）からの反射光の一部を除去してもよい。
【００２９】
遮光部材２２は、例えば、穴開きミラー１３にて取り除けなかったレンズ面１７ａからの反射光を遮光するために用いられてもよい。より詳細には、対物レンズ系１７のレンズ面には曲面部分があり、また、レーザー光の照射箇所が移動されるので、共通光路において、反射光が広範囲を通過する（例えば、図３参照）。故に、例えば、レンズ面１７ａの光軸Ｌ３の近傍領域で反射された反射光が、穴開きミラー１３を介して受光素子２５に向かう場合がある。
【００３０】
遮光部材２２は、受光光学系２０の光軸近傍を遮光することによって、レンズ面１７ａからの反射光を取り除く。レンズ面１７ａにおけるレーザー光の照射領域Ａの像は、遮光部材２２の位置において受光光学系２０の光軸近傍の領域Ｂに結像する。ここで、照射領域Ａはレーザー光の走査によって逐次変位される。しかし、レンズ面１７ａからの反射光は、走査部１６を経ることによって変位がキャンセルされる。その結果として、照射領域Ａの像は、レンズ面１７ａと共役な遮光部材２２の設置位置にて、一定の領域内（詳細には、光軸Ｌ２の近傍領域内）に結像される。つまり、レンズ面１７ａからの反射光が穴開きミラー１３によって反射される場合には、該反射光は、共役関係によって領域Ｂの内部に入射される。したがって、黒点２２ｂによる遮光領域が領域Ｂにて形成されることによって、レンズ面１７ａからの反射光が除去される。
【００３１】
また、遮光部材２２の設置位置と対物レンズ系１７のレンズ面１７ａの共役位置との間に多少の誤差があっても、レンズ面１７ａからの反射光を遮光部材２２によって良好に抑制できることを、本件発明者は、光線追跡法を用いたシミュレーション計算によって確認した。よって、遮光部材２２の設置位置は、本開示の目的に適合する範囲でレンズ面１７ａの共役位置に対して前後に離れて配置されてもよい。
【００３２】
照射光学系１０および受光光学系２０の視度が調節される場合、光軸Ｌ３上におけるレンズ面１７ａの共役位置は、レンズ１４の位置に応じて変位される。このとき、遮光部材２２の設置位置と対物レンズ系１７のレンズ面１７ａの共役位置との間に誤差が生じる場合があるが、上記の通りシミュレーション計算によれば、この場合も遮光部材２２によってレンズ面１７ａからの反射光が良好に抑制され得る。このように、レンズ面１７ａからの反射光が良好に抑制できる範囲で、遮光部材２２の設置位置は適宜設定され得る。例えば、レンズ面１７ａからの反射が強く生じる度数の位置にレンズ１４が配置される場合において（つまり、該度数の被検眼Ｅの眼底Ｅｆとピンホール２３ａとが共役関係になるように視度が補正された場合において）、レンズ面１７ａと遮光部材２２とが共役関係となる位置に遮光部材２２は設置されてもよい。また、例えば、正視眼の眼底Ｅｆとピンホール２３ａとが共役である場合において、対物レンズ系１７のレンズ面１７ａと遮光部材２２とが共役関係となるような設置位置であってもよい。
【００３３】
以下に、領域Ｂの具体的な位置、および大きさを設定する場合の一例を示す。照射領域Ａはレンズ面におけるレーザー光の断面に形成されるので、領域Ｂのより具体的な位置、および大きさは、穴開きミラー１３に形成された開口部１３ａの径（又は、光束分岐部材を通過するときのレーザー光のビーム径）に基づいて定めることができる。例えば、穴開きミラー１３を通過するときのレーザー光が開口部１３ａの内側いっぱいのビーム径である場合、眼底Ｅｒからの光の穴開きミラー１３による反射光束に囲まれる範囲（図２にて線ｓ１と線ｓ２とに挟まれる範囲）が、領域Ｂの大きさとなる。この場合、領域Ｂは、ピンホール２３ａを基準とした視角（つまり、ピンホール２３ａから見たときのみかけの大きさ）が穴開きミラー１３の開口部１３ａの視角と等しい。よって、遮光部材２２の設置位置においてピンホール２３ａを基準とした視角が穴開きミラー１３の開口部１３ａの視角と等しくなる範囲が遮光されるとよい。そこで、遮光部材２２は、ピンホール２３ａを基準とした穴開きミラー１３の開口部１３ａの視角に応じた遮光領域（つまり、黒点２２ａ）が形成されていてもよい。
【００３４】
例えば、遮光領域は、遮光部材２２の設置位置において、ピンホール２３ａを基準とした視角が、開口部１３ａと完全に一致するものであってもよい。この場合、眼底Ｅｒからの光を遮光部材２２が遮らないので、受光素子２５によって受光される眼底Ｅｒからの光の光量が低減されることなく、レンズ面１７ａからの反射光が受光素子２５に入射することが抑制される。
【００３５】
以上のように、レンズ面１７ａによって反射された光のうち、穴開きミラー１３によって反射された光の大半は、遮光部材２２の黒点２２ａによって遮光される。一方、眼底共役面からの光は、透光部２２ｂを通過してピンホール板２３に向かう。ピンホール板２３は、眼底の集光位置からの光に加え、集光位置の近傍にて散乱された光を通過させ、他の光を遮光する。
【００３６】
その結果、深さ方向に関して多くの情報（例えば、脈絡膜、網膜深層部）を含む眼底画像が取得される。得られた眼底画像は、レンズ面によるノイズ光が軽減されているので、検者は、効果的な診断・検査を行うことが可能である。
【００３７】
＜第２実施形態＞
次に、図５から図７を参照して、第２実施形態に係る走査型レーザー検眼鏡１００を、第1実施形態との相違点を中心として説明する。また、第２実施形態の説明において、第１実施形態と同様の構成については、同一の符号を付し、詳細な説明を省略する。以下、第２実施形態の説明において、走査型レーザー検眼鏡１００は、眼底画像を、眼底反射光に基づいて撮影できる他、眼底の蛍光物質が発した蛍光に基づいて撮影できる。例えば、走査型レーザー検眼鏡１００は、眼底反射光に基づく撮影と、蛍光に基づく撮影とを、同時に行ってもよい。
【００３８】
図５の例におけるレーザー光出射部１１は、複数色の光を同時に、又は選択的に出射する。例えば、レーザー光出射部１１は、青，緑，赤の可視域の３色と赤外域の１色との計４色の光を出射する。青，緑，赤の可視域の３色は、例えば、カラー撮影に利用される。例えば、光源１１から青，緑，赤の３色が実質的に同時に出射されることによって、カラー撮影が行われる。また、可視域の３色のうち、いずれか１色が、可視蛍光撮影に利用されてもよい。例えば、青色の光が、可視蛍光撮影の一種であるＦＡＧ撮影（フルオレセイン蛍光造影撮影）に利用されてもよい。また、例えば、赤外域の光は、赤外域の眼底反射光を用いる赤外撮影の他、赤外蛍光撮影に利用されてもよい。例えば、赤外蛍光撮影には、ＩＣＧ撮影（インドシアニングリーン蛍光造影撮影）が知られている。この場合、レーザー光源１１から出射される赤外光は、ＩＣＧ撮影で使用されるインドシアニングリーンの蛍光波長とは異なる波長域に設定されていることが好ましい。
【００３９】
また、図５の例では、図１に示した穴あきミラー１３に替えて、ハーフミラー１０３（ビームスプリッタ）および遮光部材２１０を有している。ハーフミラー１０３は、投光光学系１０と受光光学系２０の光路を分岐させるための光路分岐部材として利用される。ハーフミラー１０３は、例えば、入射される光の一部を透過し、残りを透過する特性を持つ。レーザー光出射部１１から出射される光は、ハーフミラー１０３を透過することで、被検眼Ｅ側の光路に導かれる。また、投光光学系１０の光路を逆に辿る光は（例えば、眼底反射光、眼底からの蛍光、角膜反射光、対物レンズ系のレンズ面による反射光等は）、ハーフミラー１０３で反射されることによって、ピンホール板２３側（換言すれば、受光素子２３１，２３２，２３３）側に導かれる。被検眼Ｅからの光を効率よく受光素子に導くために、ハーフミラー１０３は、透過率に対して反射率が高いものが好ましい。
【００４０】
図５の例では、遮光部材２１０が、ハーフミラー１０３とピンホール板２３との間の光路に配置されてもよい。遮光部材２１０は、上記の光路上に配置されることによって、主に角膜反射光を除去してもよい。この場合、遮光部材２１０は、被検眼Ｅの前眼部と共役な位置に配置されることが好ましい。遮光部材２１０のより詳細については、後述する。
また、図１の受光光学系２０には、受光光学系２０には受光素子が１つだけ設けられていたが、図５の受光光学系２０では、３つの受光素子２３１，２３２，２３３が設けられている。それぞれの受光素子２３１，２３２，２３３が感度を持つ波長域は、互いに異なっていてもよい。また、受光素子２３１，２３２，２３３のうち、少なくとも２つが、共通の波長域に感度を持っていてもよい。それぞれの受光素子２３１，２３２，２３３は、受光した光の強度に応じた信号（以下、受光信号と称す）をそれぞれ出力する。本実施形態において、受光信号は、受光素子毎に別々に処理されて画像が生成される。つまり、本実施形態では、最大で３種類の眼底画像が、並行して生成される。
また、図５の受光光学系２０は、眼底Ｅｒから取り出された光を分離させる光分離部（光分離ユニット）２３５を有する。光分離部２３５は、波長選択的に光分離を行う。
【００４１】
本実施形態の光分離部２３５は、受光光学系２０の光路を３つに分岐させる。また、光分離部２３５は、眼底Ｅｒから取り出された光の波長を分離する。詳細は後述するが、本実施形態では、２枚のダイクロイックミラー（ダイクロイックフィルター）２３５ａ，２３５ｂによって光路が分岐される。なお、それぞれの分岐光路の先には、受光素子２３１，２３２，２３３の１つがそれぞれ配置される。
【００４２】
光分離部２３５は、眼底Ｅｒから取り出された光の波長を分離させ、３つの受光素子２３１，２３２，２３３に、互いに異なる波長域の光を受光させる。即ち、受光素子２３１，受光素子２３２，および受光素子２３３には、第１の波長域の光，第２の波長域の光，および第３の波長域の光が、それぞれ別々に受光される。第１の波長域の光，第２の波長域の光，および第３の波長域の光には、例えば、青色の波長域の眼底反射光、緑色の波長域の眼底反射光、および赤色の波長域の眼底反射光のいずれかが別々に割り当てられてもよい。或いは、第１の波長域の光、第２の波長域の光、第３の波長域の光としては、例えば、赤外域の波長域の眼底反射光、第１の波長域の蛍光、第２の波長域の蛍光のいずれかが別々に割り当てられてもよい。ここでは、光分離部２３５は、青，緑，赤の３色の光を、受光素子２３１，２３２，２３３に１色ずつ受光させる。また、蛍光撮影において眼底から取り出される蛍光と、赤外撮影に使用する赤外域の眼底反射光とのそれぞれを、別々の受光素子に導く。この場合において、本実施形態の光分離部２３５は、赤外蛍光撮影によって眼底から取り出される蛍光と、可視蛍光撮影によって眼底から取り出される蛍光とを、それぞれ別の受光素子に導く。更に、本実施形態の光分離部２３５は、蛍光撮影において励起光となる波長域の光と、その励起光に基づく蛍光とを、それぞれ別の受光素子に導く。なお、本実施形態では、光分離部２３５は、ダイクロイックミラー２３５ａ，２３５ｂを含む。これらのダイクロイックミラー２３５ａ，２３５ｂによって、大まかな波長の分離が行われる。
【００４３】
以下の説明において、一例として、ダイクロイックミラー２３５ａ，２３５ｂは、以下の光分離特性を有するものとする（図６参照）。但し、必ずしもこれに限られるものではない。ダイクロイックミラー２３５ｂは、赤色の波長域の光と赤外域（第１赤外域）の光とを少なくとも反射し、それ以外の波長域の光を透過する。その結果、受光素子２３１では、赤色の波長域の光と赤外域（第１赤外域）の光とが受光される。赤色の波長域は、例えば、カラー撮影に利用される。また、第１赤外域は、例えば、ＩＣＧ撮影に利用される。つまり、本実施形態では、インドシアニングリーンの蛍光波長である赤外成分が含まれるように、第１赤外域は設定される。
【００４４】
ダイクロイックミラー２３５ａは、緑色の波長域の光を少なくとも反射する。その結果として、受光素子２３２では、緑色の波長域の光が受光される。緑色の波長域は、カラー撮影に利用される。また、本実施形態では、ＦＡＧ撮影に利用される。つまり、本実施形態では、フルオレセインの蛍光波長である緑色成分が含まれるように、ダイクロイックミラー２３５ｂで反射される緑色の波長域は設定される。
【００４５】
受光素子２３３側の光路には、２つのダイクロイックミラー２３５ａ，２３５ｂを透過する波長域の光が導かれる。本実施形態では、青色の波長域の光と、赤外域の光とが少なくとも透過される。なお、各ダイクロイックミラー２３５ａ，２３５ｂを透過する赤外光は、ダイクロイックミラー２３５ａで反射される赤外光に対し、短波長側の波長域を持つ。その結果、受光素子２３３では、青色の波長域の光と、第１赤外域と比べて短波長側の第２赤外域の光と、が受光される。青色の波長域は、例えば、カラー撮影に利用される。また、第２赤外域は、例えば、赤外撮影に利用される。
【００４６】
また、図５に示す受光光学系２０は、更に、遮光部材２２０を有している。遮光部材２２０は、図１に示す遮光部材２２と同様、例えば、レンズ面１７ａからの反射光を遮光するために用いられてもよい。図５の例では、遮光部材２２０が、ハーフミラー１０３とピンホール板２３との間の光路において、レンズ面１７ａと共役な位置に設けられてもよい。このように、本第２実施形態の光分離部２３５は、赤外撮影に利用される赤外域の光と、２種類の造影撮影における蛍光（少なくとも２種類の蛍光）とを、それぞれ別々の受光素子に導くことができるので、蛍光撮影（例えば、ＦＡＧ撮影とＩＣＧ撮影のいずれか）と、赤外撮影とを、同時に行うことができる。また、光分離部２３５は、青、緑、赤の３色の可視光を、色毎に、別々の受光素子に導くことができるので、これらの受光結果から、カラー画像を容易に得ることができる。
【００４７】
第２実施形態において、各遮光部材２１０，２２０は、図７に示すように、光軸近傍に形成される遮光領域２１０ａ，２２０ａと、その周囲に形成される透光板２１０ｂ，２２０ｂと、をそれぞれ有する。遮光部２１０ａと遮光部２２０ａは、ピンホール２３ａを基準とした視角（つまり、ピンホール２３ａから見たときのみかけの大きさ）互いに等しい大きさで形成されていてもよいし、異なる見かけの大きさで形成されてもよい。遮光領域２１０ａ，２２０ａは、例えば、レーザー光出射部１１から出射される各波長域の光を遮光してもよい。例えば、遮光部材２１０，２２０は、遮光領域２１０ａ，２２０ａにおいて、青，緑，赤の可視域の３色と赤外域の１色との計４色の光をそれぞれ遮光してもよい。このような特性を持つ遮光部２１０ａ，２２０ａは、例えば、クロムによって形成されてもよい。例えば、ガラス板へクロムを蒸着することで、遮光部材２１０，２２０は形成され得る。
【００４８】
また、図５の例では、それぞれの遮光部材２１０，２２０に対し、挿脱機構２１５，２２５が設けられている。挿脱機構２１５，２２５は、図示無き制御部からの信号に基づいて、受光光学系２０の光路から遮光部材２１０，２２０を挿脱させる。第２実施形態において、制御部は、例えば、ハーフミラー１０３とピンホール板２３との間の光路から、遮光部材２１０，２２０を退避したうえで、被検眼Ｅに励起光を投光することで、蛍光に基づく撮影を行ってもよい。また、制御部は、例えば、ハーフミラー１０３とピンホール板２３との間の光路中に遮光部材２１０，２２０を配置した状態で、眼底反射光に基づく撮影を行ってもよい。蛍光撮影の場合、励起光の波長域（つまり、角膜およびレンズ面１７ａ等からの反射光の波長域）と、蛍光の波長域とが異なる。このため、励起光の波長域の光と、蛍光とは、光分離部２３５によって、異なる受光素子へと導かれる。このため、レーザー光出射部１１から、所定の波長域の光が、励起光として選択的に出射される場合には、ハーフミラー１０３とピンホール板２３との間の光路中に遮光部材２１０，２２０を配置しなくても、角膜およびレンズ面１７ａ等からの反射光がノイズ光として蛍光画像に影響を与えない。また、ハーフミラー１０３とピンホール板２３との間の光路中に遮光部材２１０，２２０が配置されないことで、受光素子に導かれる蛍光の光量が確保されやすくなる。その結果、良好な蛍光画像が得られやすくなる。このように、ハーフミラー１０３とピンホール板２３との間の光路中において、遮光部材２１０，２２０の有無が切換えられることで、眼底反射光に基づく撮影と、蛍光撮影とを、それぞれ良好に行うことができる。
【００４９】
＜第３実施形態＞
次に、図８から図９を参照して、第３実施形態に係る走査型レーザー検眼鏡２００を、第２実施形態との相違点を中心として説明する。また、第３実施形態の説明において、第２実施形態と同様の構成については、同一の符号を付し、詳細な説明を省略する。
【００５０】
図８に示すように、第３実施形態に係る走査型レーザー検眼鏡２００は、遮光部材２１１，２２１が設けられている。遮光部材２１１，２２２には、反射撮影に利用する波長域の光を遮光すると共に、蛍光撮影に使用される蛍光を透過する遮光部２１１ａ，２２１ａが形成されている。この場合において、反射撮影に利用する波長域の光は、蛍光に対する励起光を兼用していてもよい。第３実施形態では、後述するように、ピンホール板２３とハーフミラー１０３との間の光路に、このような遮光部材２１１，２２１が配置されることによって、蛍光撮影と反射撮影とが、同時に、且つ、良好に行われる。
【００５１】
第３実施形態における受光光学系２０は、遮光部材２１０，２２０，２１１，２２１のうち、遮光部材２１０，２２０が光路中に配置される状態、遮光部材２１１，２２１が光路中に配置される状態、いずれの遮光部材も光路外に配置される状態、に挿脱機構２１５，２２５によって切り替えられる。
【００５２】
遮光部材２１１，２２１は、遮光部材２１０，２２０の遮光部２１０ａ，２２０ａが、所定の（例えば、図９に示す）分光特性を持つフィルタに置き換えられたものであってもよい。図９に示す分光特性を持つフィルタは、青色の光によって励起されるフルオレセイン，およびリポフスチンによる蛍光（いずれの蛍光も可視光）を透過させる。また、赤外光によって励起されるＩＧＣによる蛍光を透過させる。一方、フィルタは、これらの蛍光に対する励起光を遮光する。例えば、ガラス板へ誘電体多層膜をコーティングした後、不要な部分のコーティングを除去することで、遮光部材２１１，２２１は形成されてもよい。
【００５３】
第３実施形態において、蛍光撮影は、ハーフミラー１０３とピンホール板２３との間の光路中に遮光部材２１１，２２１が配置される状態で、レーザー光出射部１１から、青色の光、または、赤外光の少なくともいずれかが出射されることで行われる。青色の光、または、赤外光は、光源１１から同時に出射されてもよい。この場合、被検眼Ｅから発せられる蛍光は、遮光部材２１１，２２１のフィルタによって遮られずに、いずれかの受光素子２３１，２３２，２３３（図６の場合、受光素子２３１，または、受光素子２３２）へと導かれる。つまり、より蛍光がより多くの光量で受光されるので、結果として、良好な蛍光画像が得られやすい。また、蛍光と合わせて眼底反射光、対物レンズ系のレンズ面からの反射光、角膜反射光等が受光光学系２０に導かれる。遮光部材２１１，２２１は、対物レンズ系のレンズ面１７ａからの反射光、角膜反射光等を遮光することによって、受光素子２３１，２３２，２３３（蛍光を受光するものとは別の受光素子、図６の場合は受光素子２３３）に導かれる眼底反射光のノイズを低減させる。結果、蛍光画像と同時に、良好な反射画像が得られる。例えば、蛍光造影撮影を行う場合、検者は、撮影位置を、反射画像から確認することができる。例えば、造影剤が注射されてから眼底に到達するまでの間は、蛍光画像として画像を得ることができないが、この場合であっても、検者は、反射画像によって撮影位置が移動したり、アライメント状態が不適正になったこと等を確認できる。よって、反射画像の確認結果に合わせて、撮影位置等を調整することによって、蛍光造影撮影が確実に行われやすくなる。なお、ＦＡＧ撮影の場合、青色の励起光の眼底反射光は、受光素子２３３に導かれるので、眼底反射光による眼底画像を青色の光に基づいて得ることができる。しかし、この眼底画像は、暗い画像になりやすい。そこで、ＦＡＧ撮影の場合に、励起光である青色の光の他に、赤外光をレーザー光出射部１１から同時に出射させてもよい。この場合、赤外光の眼底反射光による眼底画像が、蛍光が受光される受光素子２３２とは別の受光素子２３３から得られる。これにより、蛍光画像と同時に、反射光による眼底画像を良好に取得できる。
【００５４】
以上、実施形態に基づいて説明を行ったが、本開示は、上記実施形態に限定されることなく、種々の変形が可能である。
【００５５】
例えば、上記各実施形態では、対物レンズ系１７のレンズ面のうち、最も光源側のレンズ面１７ａと共役な位置に遮光部材２２，２１０，２１１が配置されるが、必ずしもこれに限られるものではない。例えば、反射光が問題となるレンズ面であって、レンズ面１７ａ以外のレンズ面と共役な位置に遮光部材２２，２１０，２１１が配置されてもよい。
【００５６】
また、第１実施形態における遮光部材２２は、ピンホール２３ａを基準とした視角が開口部１３ａより大きな遮光領域を持つものであってもよい。反射光が通過したレンズ１４，１５，２１等によって生じる収差の影響で、一部の反射光が領域Ｂの外側を通過してしまう場合がある。遮光領域が開口部１３ａよりも大きな視角を有することによって、レンズ１４，１５，２１等の収差によって領域Ｂの外側を通過した光を好適に遮光できる。この場合、遮光領域の径は、領域Ｂの２倍以内であることが好ましい。なお、ピンホール２３ａを基準とした遮光領域の視角が開口部１３ａの視角と比べて小さい場合にも眼底画像の画質改善に貢献する一定の効果があると考えられる。
【００５７】
また、各実施形態における遮光部材２２，２１０，２１１，２２０，２２１は、光軸Ｌ２方向に並んで複数個設けられてもよい。例えば、対物レンズ系１７は、通常、複数のレンズ面を有するので、レンズ面と遮光部材の数を対応させてもよい。例えば、対物レンズ系１７に、４面のレンズ面が含まれている場合、４枚の遮光部材を各レンズ面の共役位置（又はその近傍）に配置してもよい。また、遮光部材２２，２１０，２１１設置位置とレンズ面１７ａの共役位置との間、遮光部材，２２０，２２１と角膜の共役位置との間、に多少の誤差があっても、遮光部材２２によるノイズ光の抑制効果がある。具体例として、図１０に示すように、レンズ面よりも少ない数の遮光部材（例えば、３枚の遮光部材６１〜６３）が受光側光路上に配置されてもよい。もちろん、レンズ面の数より多くの遮光部材が配置されてもよい。３つ以上の遮光部材を受光光学系２０の光軸Ｌ２方向に並べて配置する場合、各遮光部材の設置間隔を受光素子２５に近い側ほど狭くするとよい。この場合は、各遮光部材の設置間隔を等間隔にした場合よりも好適にノイズ光を除去できる。
【００５８】
また、視度補正のためにレンズ１４が移動されることによって、受光側光路上での各レンズ面１７ａとの共役位置が移動する。これに対し、具体例として図１０に示すように遮光部材を複数設けることによって、視度補正が調節される場合でも良好にノイズ光を抑制できる。
【００５９】
また、上記実施形態では、遮光部材２２，２１０，２１１，２２０，２２１は、受光光学系２０の光路上に固定的に配置される場合について説明したが、少なくともいずれかの遮光部材２２，２１０，２１１，２２０，２２１を光軸方向に変位させる機構が設けられていてもよい。例えば、視度補正を行うレンズ１４の位置と連動して、少なくとも何れかの遮光部材２２，２１０，２１１，２２０，２２１が移動されてもよい。例えば、第１実施形態の場合、遮光部材２２を、被検眼Ｅの視度に応じて対物レンズ系１７のレンズ面との共役位置に配置する遮光部材移動機構を有していてもよい。
【００６０】
また、上記第１実施形態において、光路分岐部材として穴開きミラー１３を例示して説明したが、必ずしもこれに限定されない。例えば、開口部１３ａのないミラーを用いて光路が分岐されてもよい。具体的には、図１の例に対し、開口部１３ａとミラー部１３ｂとが入れ替わったミラーを、穴開きミラー１３の位置に配置してもよい。この場合、穴開きミラー１３から光源１１までの照射光学系１０の構成を、ミラーの反射側に配置し、穴開きミラー１３から受光素子２５までの受光光学系２０の構成をミラーの透過側に配置することによって、上記実施形態と同様の作用効果を奏することができる。なお、この場合、受光素子２５側に眼底からの光を導くミラーの周辺部は、ガラスやプラスチックなどの透明な材料で形成されていてもよいし、物が配置されていない空間であってもよい。この種の光路分岐部材の一例として、特開２０１０−２２０７７３号公報等を参照されたい。
【００６１】
また、光路分岐部材は、例えば、図１１に示す構成であってもよい。図１１において、光路分岐部材は、ハーフミラー１１３、照射側遮光部１１４、および受光側遮光部１１５を有する。ハーフミラー１１３は、レーザー光出射部１１と視度補正用のレンズ１４との間で、光軸Ｌ１に対して傾いて配置される。ハーフミラー１１３は、被検眼Ｅへの露光量を減ずるために透過率よりも反射率が高く設定されていてもよい。
【００６２】
照射側遮光部１１４には、光軸Ｌ１を中心とする開口と、開口の周囲の遮光領域とが形成される。図１１において、照射側遮光部１１４は、ハーフミラー１１３とレンズ１２との間に配置されている。照射側遮光部１１４の開口をレーザー光が通過することによって、レーザー光が整形される。また、受光側遮光部１１５は、レーザー光の角膜反射を除去するために用いられる。受光側遮光部１１５は、ハーフミラー１１３と受光素子２５との間（より詳細には、ハーフミラー１１３とレンズ２１との間）において、被検眼Ｅの瞳共役位置の近傍に配置される。受光側遮光部１１５は、光軸Ｌ２の近傍にて遮光領域（射後部、例えば、黒点）が設けられている。なお、この場合において、対物レンズ系１７のレンズ面からの反射を遮光する第２の遮光部（例えば、上記実施形態の遮光部材２２）は、被検眼の瞳と共役な位置から外れた位置に設けられる。
【００６３】
また、図１１に示す装置は、更に、投光側遮光部１１４および受光側遮光部１１５の少なくとも一方を光路上から挿脱する挿脱機構を備えていてもよい。例えば、投光側遮光部１１４を光路から出すことによって、被検眼Ｅへ向かうレーザー光の径が大きくなる。この場合、被検眼Ｅの前眼部における光密度を減じることができるので、光安全性の観点からより好ましい。また、レーザー光の径が大きくなれば回折限界による制限が緩和されるためより良好な解像力が得られる可能性がある。また、例えば、蛍光撮影の場合、受光側遮光部１１５を光路から脱出させることによって、受光素子２５への光量を増加させることができる。
【００６４】
また、光分岐部材は、偏光ビームスプリッタであってもよい。この場合、直線偏光を出射するレーザー光出射部１１と共に、その直線偏光を透過する偏光ビームスプリッタが用いられてもよい。対物レンズ面および角膜面での反射は、偏光が保存されるので、これらの反射は、偏光ビームスプリッタによって除去されやすい。結果、遮光部材２２，２２０，２２１の効果と相まって、より良好に、眼底画像に対するノイズを抑制できる。
【００６５】
また、上記実施形態では、遮光部材２２が板状の部材である場合について説明したが、必ずしもこれに限られるものではなく、立体形状の部材であってもよい。例えば、第１実施形態では、少なくとも線ｓ１と線ｓ２とに挟まれる範囲において光を遮光する部材であればよい。例えば、線ｓ１と線ｓ２とに挟まれる範囲を埋める円錐状の不透明な部材を遮光部材として用いてもよい。
【００６６】
また、上記各実施形態において、ピンホール板２３は、ピンホール２３ａの大きさを変更できる構成であってもよい。例えば、異なる径の２以上のピンホールを有し、いずれか一つを光路上に切り替えて配置する構成であってもよいし、開口の径を調節できる公知の可変絞りの構成であってもよい。
【００６７】
また、上記各実施形態では、第１の遮光部としてピンホール板２３が設けられた場合について説明したが、必ずしもこれに限定されるものではない。第１の遮光部は、眼底共役面に配置される第１の遮光部であって、眼底共役面から受光素子に向かう光のうち，光軸近傍の光を通過させる第１開口が光軸上に配置され、共役面から受光素子に向かう他の光を遮光する第１遮光部材と、眼底共役面から受光素子に向かう光のうち，光軸から離れた領域における所定の方向からの光を通過させる開口が光軸から外れた位置に配置され、眼底共役面から受光素子に向かう他の光を遮光する第２遮光部材と、光軸から離れた領域における全方向からの光を通過させる開口を有する第３遮光部材と、の少なくともいずれかを含む構成であってもよい。第１〜第３遮光部材についての更に詳細な構成は、例えば、特開２００９−０９５６３２号公報に記載のリングアパーチャーおよび遮光部を参照されたい。
【００６８】
また、第１遮光部（例えば、ピンホール板２３、リングアパーチャー等）の眼底共役位置での配置は、略共役な位置での配置を含む。この場合、眼底Ｅｒからの光のうち、撮影に不要な光を遮光し、撮影画像として許容できる範囲において設定される。さらに、眼底共役面とは、略共役面を含む。
【００６９】
また、上記実施形態において、第１遮光部（ピンホール板２３、リングアパーチャー等）および第２遮光部（例えば、遮光部材２２）は、例えば、絞りおよび遮光板等であってもよい。一例として、絞りは、液晶シャッタによって形成されてもよい。
【００７０】
また、上記実施形態において、走査型レーザー検眼鏡１は、眼底を観察面としてレーザー光を走査することによって、眼底の正面画像を撮影する装置である。但し、必ずしもこれに限られるものではなく、走査型レーザー検眼鏡１は、眼底以外の部位の正面画像を撮影する装置であってもよい。例えば、走査型レーザー検眼鏡は、前眼部を観察面としてレーザー光を走査することによって、前眼部の正面画像を撮影する装置であってもよい。
【００７１】
この場合、第１の遮光部（例えば、ピンホール板２３、リングアパーチャー等）は、前眼部と共役な位置に配置される。また、第２の遮光部（例えば、遮光部材２２等）は、対物レンズ系１７のレンズ面１７ａからの反射光の少なくとも一部を遮光し、前眼部共役面からの光を通過させてもよい。また、第２の遮光部は、レンズ面１７ａと共役な位置に配置されてもよい。また、光路分岐部材は、上記実施形態にて例示した穴開きミラー等が使用されてもよいし、単なるハーフミラーが使用されてもよい。
【００７２】
また、上記実施形態において、走査型レーザー検眼鏡１は、レーザー光を観察面上で２次元的に走査するＳＬＯ装置として説明したが、必ずしもこれに限られるものではない。例えば、走査型レーザー検眼鏡１は、いわゆるラインスキャンＳＬＯであってもよい。この場合、走査部１６の動作に基づいて、ライン状のレーザ光束が観察面上で一次元的に走査される。
【符号の説明】
【００７３】
１          走査型レーザー検眼鏡
１０        照射光学系
１１        レーザー光出射部
１３        穴開きミラー
１３ａ      開口
１６        走査部
１７        対物レンズ系
１７ａ      レンズ面
２０        受光光学系
２２，２１０，２１１，２２０，２２１  遮光部材
２２ａ，２１０ａ，２１１ａ，２２０ａ，２２１ａ      遮光部
２２ｂ，２１０ｂ，２２０ｂ      透光板
２３        ピンホール
２５，２３１，２３２，２３３        受光素子
Ｅ          被検眼
Ｅｒ        眼底Ｌ１        光路
Ｌ２        光路
Ｌ３        光路
【図１】
2016028687.tif 000003
【図２】
2016028687.tif 000004
【図３】
2016028687.tif 000005
【図４】
2016028687.tif 000006
【図５】
2016028687.tif 000007
【図６】
2016028687.tif 000008
【図７】
2016028687.tif 000009
【図８】
2016028687.tif 000010
【図９】
2016028687.tif 000011
【図１０】
2016028687.tif 000012
【図１１】
2016028687.tif 000013